(57)【要約】【課題】簡易な構造で安価に、多様な表示を容易に実現することができる。【解決手段】一平面内に等間隔で平行に立設された複数の棒状体２と、棒状体２の少なくとも一つにこれに沿って移動可能に装着された少なくとも一つの表示片３とを備え、各表示片３を棒状体２に沿って長手方向の適当位置へ移動させることによって、移動方向に交差する方向から見た際に所望の図形が表示されるようにしたものである。【選択図】        図１
2011154273.tif 000002
【特許請求の範囲】
【請求項１】
間隔をおいて並設されて一方向へ延びる複数の案内部材と、案内部材の少なくとも一つにこれに沿って移動可能に装着された少なくとも一つの表示片とを備え、各表示片を案内部材に沿って長手方向の適当位置へ移動させることによって、移動方向に交差する方向から見た際に所望の図形が表示されるようにしたことを特徴とする表示具。
【請求項２】
前記案内部材は一平面内に等間隔で設けられている請求項１に記載の表示具。
【請求項３】
前記案内部材は棒状体であり、前記表示片は前記案内部材の外周に摺動可能に装着されている請求項２に記載の表示具。
【請求項４】
前記表示片は正方形の板体で、当該板体の対角線方向へ移動するように前記案内部材に装着されている請求項２又は３に記載の表示具。
【発明の詳細な説明】
【技術分野】
【０００１】
本発明は表示具に関し、特に、複数の表示片を組み合わせて自在な表示を可能とした、玩具やパーティション等への広い用途を有する表示具に関する。
【背景技術】
【０００２】
複数の表示片（ブロック部材）を使用して自在な表示を行なう玩具として例えば特許文献１に示すようなものが知られている。上記玩具は、同形のブロック部材をアーム用ジョイント部材や枢軸用ジョイント部材で連結して、多様な表示や立体構造体を実現することができる。
【先行技術文献】
【特許文献】
【０００３】
【特許文献１】特開２００７−２０４７９９
【発明の概要】
【発明が解決しようとする課題】
【０００４】
ところで、上記従来の玩具では、ブロック部材やジョイント部材を適宜組み合わせることによって自在な表示が可能になるが、これらブロック部材等の構造が比較的複雑でコスト高となるとともに、所望の表示を得るためにはブロック部材とジョイント部材の組み合わせに習熟する必要があるという問題があった。
【０００５】
そこで、本発明はこのような課題を解決するもので、簡易な構造で安価に、多様な表示を容易に実現することができる表示器を提供することを目的とする。
【課題を解決するための手段】
【０００６】
上記目的を達成するために、本第１発明では、間隔をおいて並設されて一方向へ延びる複数の案内部材（２）と、案内部材（２）の少なくとも一つにこれに沿って移動可能に装着された少なくとも一つの表示片（３）とを備え、各表示片（３）を案内部材（２）に沿って長手方向の適当位置へ移動させることによって、移動方向に交差する方向から見た際に所望の図形が表示されるようにしたものである。
【０００７】
本第１発明においては、各案内部材に沿って表示片を適当位置へ移動させるだけで、表示片の位置によって種々の表示を行なうことができる。したがって、従来のように構造が複雑なブロック部材やジョイント部材を組み合わせて表示する必要が無いから、簡易かつ安価に多様な表示を実現することができる。
【０００８】
本第２発明では、上記案内部材（２）は一平面内に等間隔で設けられている。本第２発明においては、平面的な図形を容易に表示することができる。
【０００９】
本第３発明では、上記案内部材は棒状体（２）であり、上記表示片（３）は案内部材（２）の外周に摺動可能に装着されている。本第３発明によれば、表示片の移動案内機構を簡易に実現することができる。
【００１０】
本第４発明では、上記表示片（３）は正方形の板体で、当該板体の対角線方向へ移動するように案内部材（２）に装着されている。本第４発明においては、表示片の斜面同士や角部同士を当接させて位置させることによって多様な連続模様を含んだ図形を容易に表示することができる。
【００１１】
上記カッコ内の符号は、後述する実施形態に記載の具体的手段との対応関係を示すものである。
【発明の効果】
【００１２】
以上のように、本発明の表示器によれば、多様な表示を容易に且つ簡易な構造で安価に実現することができる。
【図面の簡単な説明】
【００１３】
【図１】本発明の一実施形態を示す、表示具の全体正面図である。
【図２】表示片の正面図である。
【図３】表示片を対角線方向から見た側面図で、図２のＡ矢視図である。
【図４】本発明の他の実施形態を示す、表示具の全体正面図である。
【図５】本発明の他の実施形態を示す、表示具の全体正面図である。
【図６】本発明の他の実施形態を示す、表示具の全体正面図である。
【図７】本発明の他の実施形態を示す、表示具の部分正面図である。
【発明を実施するための形態】
【００１４】
図１には本発明の表示具を適用した玩具の一例を示す。図１は玩具の正面図であり、玩具は厚肉角材で構成された略Ｕ字形の枠体１を備えている。枠体１の下辺１１にはこれに沿って長手方向へ等間隔で、枠幅方向の中央に案内部材としての棒状体２が複数立設されている。これら棒状体２は本実施形態では丸棒である。棒状体２は左右の側辺１２，１３に平行でかつ互いに平行に同一平面上を同一高さ位置まで上方へ延びている。そして、これら棒状体２に沿った適当位置に複数の表示片３が位置して、玩具を正面から見た際に所望の図形が表示されるようになっている。
【００１５】
図２、図３には表示片３の一例を示す。表示片３は正方形の板体で、その表面３ａは表示面となっている。本実施形態では表示片３はその表示面３ａが全面一色で、異なる色に着色された表示片３が複数種類、それぞれ適当数準備されている。なお、表示面３ａは二色以上に着色されたり、あるいは適正に配置された際に所望の絵の一部を構成するような模様等が付されていても良い。
【００１６】
表示片３の裏面３ｂには中心に、その一方の対角線Ｘ方向へ開口するガイド穴３１１を形成したガイド部３１が設けられている。そして、ガイド穴３１１は棒状体２の断面形状にほぼ等しい形状の丸穴となっている。また、各表示片３は、その対角方向の長さＬ1が棒状体２の設置間隔Ｌ2の２倍にほぼ等しくなるような大きさとしてある。
【００１７】
このような構造の玩具において、図１に示すような倒立した四角形を図形表示する場合には、最初に、左右方向の中央に位置する棒状体２Ａに表示片３Ａのガイド穴３１１を通してこれを装着し、棒状体２Ａに沿って最下位置まで移動させる。続いて、上記棒状体２Ａの左右に位置する棒状体２Ｂに新たな表示片３Ｂのガイド穴３１１を通して装着し、棒状体２Ｂに沿ってこれらを下方へ移動させると、左右の表示片３Ｂはその下側斜面が中央の表示片３Ａの左右の上側斜面に当接して位置決めされる。そして、棒状体２Ａ、および棒状体２Ｂの外側の棒状体３Ｃに新たな表示片３Ｃのガイド穴３１１を通して、これら棒状体２Ａ，２Ｃに沿ってこれらを下方へ移動させ、これら表示片３Ｃの下側斜面をその下方の表示片３Ｂの上側斜面に当接させて位置決めする。このようにして、順次、適当な棒状体２に新たな表示片３のガイド穴３１１を通して、棒状体２に沿ってこれらを下方へ移動させて、下方の表示片３に当接させることによって、図１に示すような図形が表示される。
【００１８】
各棒状体２への表示片３の装着順序を変更すると、例えば図４に示すような図形が表示できる。
【００１９】
さらに、棒状体２に装着された下方の表示片３の上方角部に、同じ棒状体２に装着された上方の表示片３の下方角部を当接させて位置決めするようにすれば、例えば図５に示すような図形が表示できる。さらに表示片３の角部同士の当接と斜面同士の当接を適宜混在させることによって例えば図６に示すような図形が表示できる。なお、ガイド穴３１１と棒状体２の間に一定の摺動抵抗を持たせるようにすれば、表示片３同士を当接させることなくこれらを棒状体２の任意位置で位置決めすることができる。
【００２０】
棒状体２は起立姿勢とする必要は無く、例えば図７に示すように水平姿勢としても良い。この場合には、表示片３は自重によって移動することが全くなく、これらを互いに当接させて位置決めする必要は無いから、棒状体２に沿う任意位置へ表示片３を移動させて、所望の図形を表示することができる。
【００２１】
上記実施形態においては表示片の裏面にガイド部を設けたが、裏面も表示面として使用し、ガイド部を表示片の厚み方向の中央に設けるようにしても良い。また、表示片は上記実施形態の正方形に限られず、多様な形状のものが使用できる。上記実施形態では、案内部材を棒状体として、これに表示片のガイド穴を挿通して棒状体に沿って移動可能としたが、移動案内機構の構造はこれに限られるものではない。また、この場合の案内部材は必ずしも同一面内に等間隔で設けられている必要は無い。本発明の表示具の適用範囲は玩具には限られず、インテリア用品や壁面表示、パーティション等広い範囲への利用が可能である。
【符号の説明】
【００２２】
１…枠体、２，２Ａ，２Ｂ，２Ｃ…棒状体（案内部材），３，３Ａ，３Ｂ，３Ｃ…表示片、３１…ガイド部、３１１…ガイド穴。
【図１】
2011154273.tif 000003
【図２】
2011154273.tif 000004
【図３】
2011154273.tif 000005
【図４】
2011154273.tif 000006
【図５】
2011154273.tif 000007
【図６】
2011154273.tif 000008
【図７】
2011154273.tif 000009
【手続補正書】
【提出日】平成22年6月28日(2010.6.28)
【手続補正１】
【補正対象書類名】特許請求の範囲
【補正対象項目名】全文
【補正方法】変更
【補正の内容】
【特許請求の範囲】
【請求項１】
一平面内に等間隔で並設されて一方向へ延びる複数の案内部材と、当該案内部材にこれに沿って移動可能に装着される表示片とを備え、前記表示片は正方形の板体で、当該板体の対角線方向へ移動するように前記案内部材に装着されており、かつ前記表示片は、その対角方向の長さが前記案内部材の設置間隔の２倍にほぼ等しくなるような大きさとしてあって、前記各表示片を前記案内部材に沿って長手方向の適当位置へ移動させることによって、前記案内部材を並設した平面に交差する方向から見た際に所望の連続図形が表示されるようにしたことを特徴とする表示具。
【請求項２】
前記案内部材は棒状体であり、前記表示片は前記案内部材の外周に摺動可能に装着されている請求項１に記載の表示具。
【手続補正２】
【補正対象書類名】明細書
【補正対象項目名】０００６
【補正方法】変更
【補正の内容】
【０００６】
上記目的を達成するために、本第１発明では、一平面内に等間隔で並設されて一方向へ延びる複数の案内部材（２）と、案内部材（２）にこれに沿って移動可能に装着された少なくとも一つの表示片（３）とを備え、表示片（３）は正方形の板体で、当該板体の対角線方向へ移動するように案内部材（２）に装着されており、かつ表示片（３）は、その対角方向の長さが案内部材（２）の設置間隔の２倍にほぼ等しくなるような大きさとしてあって、各表示片（３）を案内部材（２）に沿って長手方向の適当位置へ移動させることによって、案内部材（２）を並設した平面に交差する方向から見た際に所望の連続図形が表示されるようにしたものである。
【手続補正３】
【補正対象書類名】明細書
【補正対象項目名】０００７
【補正方法】変更
【補正の内容】
【０００７】
本第１発明においては、各案内部材に沿って表示片を適当位置へ移動させるだけで、表示片の位置によって種々の表示を行なうことができる。したがって、従来のように構造が複雑なブロック部材やジョイント部材を組み合わせて表示する必要が無いから、簡易かつ安価に多様な表示を実現することができる。特に、表示片の斜面同士や角部同士を当接させて位置させることによって多様な連続模様を含んだ図形を容易に表示することができる。
【手続補正４】
【補正対象書類名】明細書
【補正対象項目名】０００８
【補正方法】削除
【補正の内容】
【手続補正５】
【補正対象書類名】明細書
【補正対象項目名】０００９
【補正方法】変更
【補正の内容】
【０００９】
本第２発明では、上記案内部材は棒状体（２）であり、上記表示片（３）は案内部材（２）の外周に摺動可能に装着されている。本第３発明によれば、表示片の移動案内機構を簡易に実現することができる。
【手続補正６】
【補正対象書類名】明細書
【補正対象項目名】００１０
【補正方法】削除
【補正の内容】
【手続補正７】
【補正対象書類名】明細書
【補正対象項目名】００１７
【補正方法】変更
【補正の内容】
【００１７】
このような構造の玩具において、図１に示すような倒立した四角形を図形表示する場合には、最初に、左右方向の中央に位置する棒状体２Ａに表示片３Ａのガイド穴３１１を通してこれを装着し、棒状体２Ａに沿って最下位置まで移動させる。続いて、上記棒状体２Ａの左右に位置する棒状体２Ｂに新たな表示片３Ｂのガイド穴３１１を通して装着し、棒状体２Ｂに沿ってこれらを下方へ移動させると、左右の表示片３Ｂはその下側斜面が中央の表示片３Ａの左右の上側斜面に当接して位置決めされる。そして、棒状体２Ａ、および棒状体２Ｂの外側の棒状体２Ｃに新たな表示片３Ｃのガイド穴３１１を通して、これら棒状体２Ａ，２Ｃに沿ってこれらを下方へ移動させ、これら表示片３Ｃの下側斜面をその下方の表示片３Ｂの上側斜面に当接させて位置決めする。このようにして、順次、適当な棒状体２に新たな表示片３のガイド穴３１１を通して、棒状体２に沿ってこれらを下方へ移動させて、下方の表示片３に当接させることによって、図１に示すような図形が表示される。
【手続補正８】
【補正対象書類名】明細書
【補正対象項目名】００２１
【補正方法】変更
【補正の内容】
【００２１】
上記実施形態においては表示片の裏面にガイド部を設けたが、裏面も表示面として使用し、ガイド部を表示片の厚み方向の中央に設けるようにしても良い。上記実施形態では、案内部材を棒状体として、これに表示片のガイド穴を挿通して棒状体に沿って移動可能としたが、移動案内機構の構造はこれに限られるものではない。また、この場合の案内部材は必ずしも同一面内に等間隔で設けられている必要は無い。本発明の表示具の適用範囲は玩具には限られず、インテリア用品や壁面表示、パーティション等広い範囲への利用が可能である。